(57)【要約】【課題】高所作業車上での作業時と電柱の柱上での作業時との双方で使用することができ、不用意な落下を生ずることがないもので、電柱への取り付け場所の選択の自由度も高く、更には、多数の間接活線作業用工具を収納することが可能な間接活線作業用工具収納体を提供する。【解決手段】間接活線作業用工具収納体１は、絶縁ヤットコ等の間接活線作業用工具の操作棒を差すことができ且つ１２０度の角部１１、１２、１３を有する有底筒状体２、３、４を備え、各有底筒状体２、３、４は、例えば高所作業車３４のパケット３５の平坦な側面に装着する場合には直列状に配置され、例えば電柱等の柱状立設体３８の湾曲した側面に装着する場合には、角部１１、１２、１３を集約して成る中心点Ｐを基点として放射状に配置されるようにして、作業環境に応じて変形させることができる。【選択図】図１
2012135122.tif 000002
【特許請求の範囲】
【請求項１】
工具類を挿入可能な開口面積にて開口した開口部とこの開口部とは反対側に閉塞部とを有して成る有底筒状体を３つ以上にて備えることで構成され、
前記有底筒状体は、いずれの有底筒状体も円周を当該有底筒状体の数に応じて等分した弧の中心角度を有する角部を備え、前記角部を中心点として前記有底筒状体全体として放射状に成るように配置することができると共に、前記角部とは反対側に位置した可撓性を有する連結部を介して隣り合う有底筒状体と連結されて、直列状に成るように配置することができ、
前記有底筒状体の直列状の連結方向の両端側に位置する有底筒状体同士は、全ての有底筒状体が放射状に寄せ集められた際に、前記角部を有する側において連結機構を介して着脱可能に相互に連結することができると共に、
前記有底筒状体の直列状の連結方向の中間に位置すると共に隣り合う前記有底筒状体同士は、全ての前記有底筒状体が直列状に配置された際に、前記角部を有する側と反対側において連結機構を介して着脱可能に相互に連結することができることを特徴とする間接活線作業用工具収納体。
【請求項２】
被取付体に装着された取付手段と、前記有底筒状体に設けられた取付用環状部材とを係合させることにより、前記被取体に取り付けられることを特徴とする請求項１に記載の間接活線作業用工具収納体。
【発明の詳細な説明】
【技術分野】
【０００１】
この発明は、間接活線作業で使用する絶縁操作棒等の間接活線作業用工具を多数収納することが可能な収納体の構造に関する。
【背景技術】
【０００２】
高所作業車のバケットに搭乗して間接活線作業を行う場合における間接活線作業用工具の絶縁操作棒の収納は、例えば特許文献１に示されるように、ホットスティック収納袋を、フック等を介してバケットの外面に吊り下げたり、基部から略横方向に張り出したサブフレームにフック等を介して吊り下げたりすることにより、高所作業車のバケット近傍に吊り下げた状態として、このホットスティック収納袋に間接活線作業用工具の絶縁操作棒を差し込むことで行っていた。
【０００３】
また、作業員が電柱に昇柱して間接活線作業を行う場合における間接活線作業用工具の絶縁操作棒の収納は、作業員が電柱に昇柱後に、例えば特許文献２の図９や図１１に示されるように、ロープで収納袋部を柱上まで吊り上げてから、同じく特許文献２の図１０に示されるように、例えば電柱の柱上の足場ボルトに収納袋部に設けられた吊り下げベルトを引き掛けることにより、収納袋部を電柱に吊り下げた状態として、この収納袋部に間接活線作業用工具の絶縁操作棒を差し込むことで行っていた。
【先行技術文献】
【特許文献】
【０００４】
【特許文献１】特開２００６−２１３５０５号公報
【特許文献２】特開２００８−７３８０４号公報
【発明の概要】
【発明が解決しようとする課題】
【０００５】
ここで、作業環境が違うごとに上記特許文献１に示されるホットスティック収納袋と特許文献２に示される収納袋部との２種類の間接活線作業用工具収納袋を用いる場合には、各収納袋の製造ラインが異なること等から、両者を同じ製造ラインで製造等する場合に比較すると、間接活線作業用工具収納袋全体で見た場合には製造コストが相対的に高くなることが考えられる。
このため、例えば、特許文献１に示されるホットスティック収納袋を、作業員が電柱に昇柱して間接活線作業を行う場合でも絶縁操作棒の収納に使用することにより、間接活線作業用工具収納袋を異なる作業環境下でも共通化することが考えられる。
しかしながら、特許文献１に示されるホットスティック収納袋は、高所作業車のバケット周辺に吊り下げるのに最適化された形状となっていると言えるので、電柱の柱上へのロープによる吊り上げや、電柱の足場ボルトへの吊り下げが容易ではなく、且つ電柱の足場ボルトに吊り下げた場合には、作業者の電柱の柱上での作業可能範囲を狭くして、作業者の電柱の柱上での作業を妨げるおそれがあるという不具合を有する。
【０００６】
その一方で、特許文献２に示される収納袋部は、収納袋部の電柱への取り付けを、足場ボルトに吊り下げ用ベルトを差し込み片を引き掛けることにより行うので、作業時に誤って足場ボルトから抜ける方向に作業者の体が収納袋部に当たって、吊り下げ用ベルトが足場ボルトから外れることにより、間接活線作業用工具の絶縁操作棒が収納されたまま収納袋部が地面に落下するおそれがあるという不都合を有する。
また、特許文献２に示されるように、収納袋部の電柱への取り付けを、電柱の足場ボルトを利用して行うことから、電柱への収納袋部の取り付け場所が限定されてしまうという不具合も生ずる。
更には、特許文献１に示されるホットスティック収納袋や特許文献２に示される収納袋部は、相対的に収納用スペースが小さく、このため、１つの収納用袋部に収納することが可能な間接活線作業用工具の絶縁操作棒の数が少なくなる。従って、多くの間接活線作業用工具の絶縁操作棒を高所作業車のバスケット周辺や電柱の柱上に収納・保管することが容易でなく、必要な数の間接活線作業用工具の絶縁操作棒を収納・保管するためには、複数のホットスティック収納袋や収納袋部を用意しなければならない場合もあった。
【０００７】
そこで、本発明は、高所作業車上での作業時と電柱の柱上での作業時との双方で使用することができ、不用意な落下を生ずることがないもので、電柱への取り付け場所の選択の自由度も高く、更には、多数の間接活線作業用工具を収納することが可能な間接活線作業用工具収納体を提供することを目的とする。
【課題を解決するための手段】
【０００８】
この発明に係る間接活線作業用工具収納体は、工具類を挿入可能な開口面積にて開口した開口部とこの開口部とは反対側に閉塞部とを有して成る有底筒状体を３つ以上にて備えることで構成され、前記有底筒状体は、いずれの有底筒状体も円周を当該有底筒状体の数に応じて等分した弧の中心角度を有する角部を備え、前記角部を中心点として前記有底筒状体全体として放射状に成るように配置することができると共に、前記角部とは反対側に位置した可撓性を有する連結部を介して隣り合う有底筒状体と連結されて、直列状に成るように配置することができ、前記有底筒状体の直列状の連結方向の両端側に位置する有底筒状体同士は、全ての有底筒状体が放射状に寄せ集められた際に、前記角部を有する側において連結機構を介して着脱可能に相互に連結することができると共に、前記有底筒状体の直列状の連結方向の中間に位置すると共に隣り合う前記有底筒状体同士は、全ての前記有底筒状体が直列状に配置された際に、前記角部を有する側と反対側において連結機構を介して着脱可能に相互に連結することができることを特徴としている（請求項１）。工具類は、例えば絶縁ヤットコ等の間接活線作業用の工具類である。有底筒状体は、例えば袋状のものであっても良い。有底筒状体の数は、例えば３つであると共に開口部側から見た形状は略五角形であり、その場合には、各有底筒状体の角部の角度はおよそ１２０度である。連結機構は、例えばオープンファスナー連結用具具である。
【０００９】
これにより、間接活線作業用工具収納体を、例えば高所作業車のパケットの平坦な側面に装着する場合には、有底筒状体を直列状に配置すると共に、直列状の連結方向の中間に位置すると共に隣り合う有底筒状体同士を、角部を有する側と反対側において連結機構を介して着脱可能に相互に連結した態様とする。
また、間接活線作業用工具収納体を、例えば電柱、その他の柱状立設体の湾曲した側方周面に装着する場合には、角部を中心点として有底筒状体全体として放射状に成るように配置すると共に、前記有底筒状体の直列状の連結方向の両端側に位置する有底筒状体同士を、連結機構を介して着脱可能に相互に連結した態様とする。
【００１０】
そして、この発明に係る間接活線作業用工具収納体は、被取付体に装着された取付手段と、前記有底筒状体に設けられた取付用環状部材とを係合させることにより、前記被取体に取り付けられることを特徴としている（請求項２）。ここで、被取付体とは、例えば高所作業車のパケットや、電柱、その他の柱状立設体である。取付手段とは、例えばフック部分を有する取付具であり、この取付具は、電柱、その他の柱状立設体にあっては、縛着バンドに外挿した後、この縛着バンドを電柱、その他の柱状立設体に巻き付けることにより、電柱、その他の柱状立設体に装着され、高所作業車のパケットにあっては、線状の取付部材であり、取付用環状部材に対して挿通可能な構造でパケットの側面に設けられている。
【発明の効果】
【００１１】
以上のように、この発明によれば、間接活線作業用工具収納体を、例えば高所作業車のパケットの平坦な側面に装着する場合には、有底筒状体を直列状に配置すると共に、直列状の連結方向の中間に位置すると共に隣り合う有底筒状体同士を、角部を有する側と反対側において連結機構を介して着脱可能に相互に連結した態様とし、例えば電柱、その他の柱状立設体の湾曲した側方周面に装着する場合には、角部を中心点として有底筒状体全体として放射状に成るように配置すると共に、前記有底筒状体の直列状の連結方向の両端側に位置する有底筒状体同士を、連結機構を介して着脱可能に相互に連結した態様とすることが可能である。このため、間接活線作業用工具収納体を、高所作業車のパケット装着用と電柱、その他の柱状立設体装着用とで共通化されるので、間接活線作業用工具収納体の数を減らすことができる。よって、作業ラインの共通化による間接活線作業用工具収納体の製造コストの削減を図ることも可能である。また、高所作業車のパケットの平坦な側面に装着するために適した態様の間接活線作業用工具収納体を無理して電柱への装着用にも使用する手法を採らないので、この発明に係る間接活線作業用工具収納体を電柱の柱上に取り付けても、電柱の柱上での作業スペースを十分に確保することができる。
【００１２】
また、この発明によれば、３つ以上の多数の有底筒状体を備えたものとなっているため、電柱、その他の柱状立設体の柱上での間接活線作業であっても、この柱上に多くの間接活線作業用工具を収納し保管することが可能であるので、間接活線作業中に間接活線作業用工具を下から吊り上げり、用済みとなった間接活線作業用工具を降ろしたりする作業が不要となることから、間接活線作業の簡便化、短時間化を図ることもできる。
【００１３】
特に請求項２に記載の発明によれば、電柱に取り付ける場合には、従来のように足場ボルトに吊り下げるのではなく、電柱に装着された取付手段に有底筒状体に設けられた取付用環状部材を差し込み片に引き掛けることにより取り付けるので、電柱の柱上の任意の場所に取り付けることができ、しかも取付手段について、足場ボルトとは違って形態に対する工夫をすることができるので、取付手段から間接活線作業用工具収納体が落下するおそれもなくすことができる。
【図面の簡単な説明】
【００１４】
【図１】図１は、この発明に係る間接活線作業用工具収納体の構成を説明するための平面図である。
【図２】図２は、同上の間接活線作業用工具収納体の有底筒状体を直列状に配置した状態を説明するための平面図である。
【図３】図３は、同上の間接活線作業用工具収納体の有底筒状体を直列状に配置した状態を説明するための正面図である。
【図４】図４は、同上の間接活線作業用工具収納体の有底筒状体を直列状に配置した状態を説明するための背面図である。
【図５】図５は、同上の間接活線作業用工具収納体の有底筒状体を、全ての有底筒状体の角部が集まって成る中心を基点として、放射状に配置した状態を説明するための平面図である。
【図６】図６は、同上の間接活線作業用工具収納体の有底筒状体を、全ての有底筒状体の角部が集まって成る中心を基点として、放射状に配置した状態を説明するための正面図である。
【図７】図７は、同上の間接活線作業用工具収納体を高所作業車のパケットの側面に取り付けた状態の使用例を説明するための斜視図である。
【図８】図８は、同上の間接活線作業用工具収納体を電柱の柱上に取り付けた状態の使用例を説明するための斜視図である。
【図９】図９は、同上の間接活線作業用工具収納体を電柱の柱上に取り付けるための取付具の構成例を説明するための斜視図である。
【図１０】図１０は、同上の間接活線作業用工具収納体を電柱の柱上に取付具を介して取り付けるために使用する縛着バンドの構成例を説明するための斜視図である。
【発明を実施するための形態】
【００１５】
以下、この発明の実施形態を図面に基づいて説明する。
【００１６】
図１から図６において、この発明に係る間接活線作業用工具収納体１の一例が示されている。間接活線作業用工具収納体１は、図示しない、絶縁ヤットコの操作棒、その他の相対的に長尺状の間接活線作業用工具（以下、間接活線作業用工具と略す。）やその他の工具類を収納し、保管するためのもので、この実施例では、３つの有底筒状体２、３、４を有することで基本的に構成されている。
【００１７】
これらの有底筒状体２、３、４は、絶縁性の素材により形成されているもので、上方から見て五角形状の筒状部５、６、７と、この筒状部５、６、７の鉛直方向の下方側を閉塞する底部８、９、１０とにより形成されている。ここで、有底筒状体２、３、４の底部８、９、１０の上に相対的に厚み且つ剛性を有する板状の中敷き部材（図示せず。）を配置して、有底筒状体２、３、４の強度の向上を図るようにしても良い。
【００１８】
各筒状部５、６、７は、間接活線作業用工具を２本以上差すことができる開口面積を備えた開口端を有すると共に、この開口端側から底部８、９、１０側までの寸法Ｌ１は、差した状態の間接活線作業用工具がぐらつくおそれのない深さを得られる数値となっている。
【００１９】
ところで、この実施例では、筒状部５は、前記五角形状を形成すべく、側面部５ａ、５ｂ、５ｃ、５ｄ、５ｅが連接して形成され、筒状部６は、前記五角形状を形成すべく、側面部６ａ、６ｂ、６ｃ、６ｄ、６ｅが連接して形成されていると共に、筒状部７は、前記五角形状を形成すべく、側面部７ａ、７ｂ、７ｃ、７ｄ、７ｅが連接して形成されている。
【００２０】
そして、各筒状部５、６、７は、側面部５ａ、６ａ、７ａと側面部５ｂ、６ｂ、７ｂとが略直角にて端同士が接すると共に、側面部５ａ、６ａ、７ａと側面部５ｅ、６ｅ、７ｅとについても略直角にて端同士が接している。すなわち、有底筒状体２、３、４は、筒状部５の側面部５ａ、筒状部６の側面部６ａ及び筒状部７の側面部７ａが同一線上に並んだ場合には、図３に示されるように、筒状部５の側面部５ｂ、５ｅ、筒状部６の側面部６ｂ、６ｅ及び筒状部７の側面部７ｂ、７ｅが全て平行に並ぶ形態となっている。
【００２１】
更に、各筒状部５、６、７は、側面部５ａ、６ａ、７ａと側面部５ｂ、６ｂ、７ｂとが略１２０度にて端同士が接することで鈍角の角部１１、１２、１３がそれぞれ形成されている。すなわち、有底筒状体２、３、４は、角部１１、１２、１３を一致するように寄せ集めた場合には、図５に示されるように、筒状部５の側面部５ｃと筒状部６の側面部６ｄ、筒状部６の側面部６ｃと筒状部７の側面部７ｄ、及び筒状部７の側面部７ｃと筒状部５の側面部５ｄとがそれぞれ対峙しつつ、角部１１、１２、１３の一致点Ｐを中心点として、筒状部５の側面部５ｃ、５ｄ、筒状部６の側面部６ｃ、６ｄ及び筒状部７の側面部７ｃ、７ｄが放射状に延びる態様となっている。
【００２２】
尚、筒状部５の側面部５ｂのうち開口端近傍にフック付きロープ１５の端部が設けられていると共に筒状部７の側面部７ｂのうち開口端近傍に弧状の引き掛け部１６が設けられている。引き掛け部１６は、フック付きロープ１５のフック１５ａを取り付けるために用いられる。そして、図９に示されるように、フック付きロープ１５が取り付けられた側面部５ｂにおいて、このフック付きロープ１５が不使用時においてフック１５ａが邪魔にならないように固定するために、かかるフック１５ａが取り付けられる引き掛け部１４を更に有していても良い。
【００２３】
また、有底筒状体２と有底筒状体３とは、筒状部５の側面部５ｂ及び側面部５ｃの角部位と筒状部６の側面部６ｄ及び側面部６ｅの角部位とが連結部１７を介して常時的に連結されていると共に、有底筒状体３と有底筒状体４とは、筒状部６の側面部６ｂ及び側面部６ｃの角部位と筒状部７の側面部７ｄ及び側面部７ｅの角部位とが連結部１８を介して常時的に連結されている。
【００２４】
更に、有底筒状体２と有底筒状体３とは、筒状部５の側面部５ａ及び側面部５ｂの角部位と筒状部６の側面部６ａ及び側面部６ｅの角部位とが連結機構１９を介して着脱自在に連結可能となっていると共に、有底筒状体３と有底筒状体４とは、筒状部６の側面部６ａ及び側面部６ｂの角部位と筒状部７の側面部７ａ及び側面部７ｅの角部位とが連結機構２０を介して着脱自在に連結可能となっている。更にまた、有底筒状体２と有底筒状体４とは、筒状部５の側面部５ｄ及び側面部５ｅの角部位と筒状部７の側面部７ｂ及び側面部７ｃの角部位とが連結機構２１を介して着脱自在に連結可能となっている。
【００２５】
連結機構１９、２０、２１は、この実施例では、オープンファスナーが用いられている。すなわち、連結機構１９、２０、２１は、ストリンガー２２、２３、エレメント２４、スライダー２５を備えることにより基本的に構成されたもので、両ストリンガー２２、２３のエレメント２４の並びに沿った方向の一方端にはスライダー２５を止める止部材２８が形成され、他方端にはスライダー２５を止めると共に、ファスナーを開放連結するために、ソケット孔を有するボックス２７とこのボックス２７のソケット孔と係合可能な差し込み片２６が形成されている。
これにより、ボックス２７のソケット孔に差し込み片２６を係合させて、スライダー２５を筒状部５、６、７の開口端側から底部側に引き下げることにより、図３に示されるように、有底筒状体２と有底筒状体３、有底筒状体３と有底筒状体４とが連結され、また、スライダー２５を筒状部５、６、７の底部側から開口端側に引き上げることにより、これらの連結が解除される。
【００２６】
更にまた、有底筒状体２と有底筒状体４とは、後述する高所作業車３４のパケット３５の側面や、電柱等の柱状立設体３８の柱上の側面に、取付具３９を介して取り付けるための取付用環状部材３０を有している。この取付用環状部材３０は、筒状部５の側面部５ａ、筒状部７の側面部７ａに通孔３１を形成し、この通孔３１に挿通させることで、有底筒状体２と有底筒状体４とに設けられたものとなっている。尚、通孔３１の内周部位は略円筒状の補強部材３２を挿入し嵌合させることで補強されたものとしても良い。また、通孔３１は、図４、図６、図７等に示されるように、筒状部５の側面部５ａ、筒状部７の側面部７ａに形成する場合に限定されず、図８に示されるように、筒状部５の側面部５ｅ、筒状部７の側面部７ｂに形成するようにしても良い。更に、通孔３１は、図示しないが、筒状部５の側面部５ａ、筒状部７の側面部７ａと筒状部５の側面部５ｅ、筒状部７の側面部７ｂとの双方に形成するようにしても良い。
【００２７】
これに対し、間接活線作業用工具収納体１の被取付体たる高所作業車３４のパケット３５は、図７に示されるように、有底筒状体２、５に設けられた取付用環状部材３０、３０の各環状部分に挿通することで間接活線作業用工具収納体１の取り付けを行う取付部材３６、３６がその側面に設けられている。これらの取付部材３６、３６は、線状部位の端部がパケット３５の側面から着脱可能又はその中間部位が離隔と連結とが可能な構造等とすることにより、取付用環状部材３０、３０の各環状部分に挿通することが可能となっている。
【００２８】
また、間接活線作業用工具収納体１の被取付体たる電柱等の柱状立設体３８は、図８に示されるように、取付具３９が複数に装着された縛着バンド４５を巻き付けるものとなっている。
ここで、取付具３９は、縛着バンド４５のバンド本体４６が挿通可能な連通孔４０と取付用環状部材３０を引き掛けられるフック部分４１とがあれば、その構造が限定されないところ、図９（ａ）及び図９（ｂ）の双方に示されるように、フック部分４１の先端部分として別部材４２を組み付ける構成としたり、図９（ｂ）に示されるように、取付具３９の上方に作業員の足を乗せる足場４３を形成する構成としたりしても良い。また、図示しないが、取付具３９の上方に作業員が手で握ることができるグリップ部を形成する構成とすることも可能である。更には、取付用環状部材３０を引き掛けないために空いた状態の取付具３９は、通常の工具袋（図示せず。）を引き掛けるために利用しても良い。
また、縛着バンド４５は、図１０に示されるように、バンド本体４６と縛着調整部分４７とを有して構成されて、電柱等の柱状立設体３８に対して、その柱上においてずり落ちなく確実に縛着されることが可能である。
【００２９】
このような間接活線作業用工具収納体１の構成及び取付部材３６、取付具３９、縛着バンド４５の構成とすることにより、間接活線作業用工具収納体１を高所作業車３４のパケット３５用と電柱等の柱状立設体３８の柱上用とで、所定の動作を経ることによりそれぞれの使用環境に好適な形態に可変することができる。
【００３０】
すなわち、間接活線作業用工具収納体１が例えば図１に示されるような中間的な態様から高所作業車３４のパケット３５用とする場合には、以下の動作を行う。まず、連結機構１９、２０は、ストリンガー２２とストリンガー２３とが遊離してファスナー的に開放された状態にある。そこで、図１の白抜き矢印に示されるように、有底筒状体２を当該有底筒状体２の側面部５ｂの反連結部１７側が有底筒状体３の側面部６ｅに近接するように動かすと共に、有底筒状体３を当該有底筒状体３の側面部７ｅの反連結部１８側が有底筒状体３の側面部６ｂに近接するように動かした後、スライダー２５をボックス２７側まで引き上げて、この態様を維持したままボックス２７のソケット孔に差し込み片２６を差し込み、その後、スライダー２５を止部材２８側まで引き下げる動作を行う。
【００３１】
これにより、ストリンガー２２に形成されたエレメント２４とストリンガー２３に形成されたエレメント２４とが噛み合って、図２から図４に示されるように、隣り合う有底筒状体２と有底筒状体３、及び隣り合う有底筒状体３と有底筒状体４とは、角部１１、１２、１３側の連結部１７、１８のみならず、角部１１、１２、１３とは反対側の連結機構１９、２０によっても着脱自在に一時的に連結された状態となる。
【００３２】
しかるに、間接活線作業用工具収納体１は、有底筒状体２、３、４が直列的に配置された状態となり、側面部５ａ、側面部６ａ及び側面部７ａが同一線上に並ぶので、図７に示されるように、高所作業車３４のパケット３５の側面に広い範囲で接することが可能となり、高所作業車３４のパケット３５の側面への取り付けに好適な態様となる。
【００３３】
そして、有底筒状体２、４に形成された取付用環状部材３０、３０と高所作業車３４のパケット３５の側面に形成された取付部材３６とを係合させることにより、間接活線作業用工具収納体１は、高所作業車３４のパケット３５の側面に対して、簡易に且つ確実に取り付けられる。また、間接活線作業用工具収納体１の各有底筒状体２、３、４は、間接活線作業用工具を少なくとも２本ずつ差すことができるので、間接活線作業用工具収納体１全体としては、６本以上の数多くの間接活線作業用工具を高所作業車３４のパケット３５近傍にて収納・保管することが可能である。
【００３４】
間接活線作業用工具収納体１が例えば図１に示されるような中間的な態様から電柱等の柱状立設体３８の柱上用とする場合には、以下の動作を行う。まず、連結機構２１、２０は、ストリンガー２２とストリンガー２３とが遊離してファスナー的に開放された状態にある。そこで、図１の矢印に示されるように、有底筒状体２を当該有底筒状体２の角部１１が有底筒状体３の角部１２に近接するように動かして角部１１、角部１２及び角部１３について中心点Ｐを基点として集約させると共に、有底筒状体２の側面部５ｅ側を有底筒状体４の側面部７ｂに近接させた後、スライダー２５をボックス２７側まで引き上げて、この態様のままボックス２７のソケット孔に差し込み片２６を差し込み、その後、スライダー２５を止部材２８側まで引き下げる動作を行う。
【００３５】
これにより、ストリンガー２２に形成されたエレメント２４とストリンガー２３に形成されたエレメント２４とが噛み合って、図５及び図６に示されるように、有底筒状体２と有底筒状体３及び有底筒状体３と有底筒状体２が連結部１７、１８を介して連結されているのみならず、有底筒状体２と有底筒状体４とについても連結機構２１を介して着脱自在に一時的に連結された状態となる。
【００３６】
しかるに、間接活線作業用工具収納体１は、有底筒状体２、３、４が中心点Ｐを基点として放射状に配置された状態となり、側面部５ｅと側面部７ｂとで略Λ字状に窪んだ窪みが形成されるので、図８に示されるように、この側面部５ｅと側面部７ｂとにより柱状立設体３８の側方周面の一部を囲むことが可能となり、柱状立設体３８の柱上でその側方周面への取り付けに好適な態様となる。
【００３７】
そして、縛着バンド４５のバンド本体４６を取付具３９の連通孔４０に挿通させることにより複数の取付具３９が縛着バンド４５に装着された状態として、この縛着バンド４５のバンド本体４６を柱状立設体３８の柱上の所定の部位に巻き付けて、縛着調整部分４７でバンド本体４６の柱状立設体３８への縛着度を調整することで、取付具３９が予め柱状立設体３８に取り付けられた状態にしておく。次に、有底筒状体２、４に形成された取付用環状部材３０、３０を柱状立設体３８に取り付けられた取付具３９のフック部分４１に引き掛ける等して係合させることにより、間接活線作業用工具収納体１は、柱状立設体３８の柱上の側方周面に対して、簡易に且つ確実に取り付けられる。また、この場合でも、間接活線作業用工具収納体１の各有底筒状体２、３、４は、間接活線作業用工具を少なくとも２本ずつ差すことができるので、間接活線作業用工具収納体１全体としては、６本以上の数多くの間接活線作業用工具を柱状立設体３８の柱上で収納・保管することが可能である。
【００３８】
以上のように、この発明に係る間接活線作業用工具収納体１は、所定の動作を経るのみで高所作業車３４のパケット３５用に好適な態様と電柱等の柱状立設体３８の柱上用に好適な態様とすることができるので、これまで別々であった、高所作業車３４のパケット３５用の工具袋等の間接活線作業用工具収納体１と電柱等の柱状立設体３８の柱上用の工具袋等の間接活線作業用工具収納体１とを共通化させることが可能である。
【００３９】
また、スライダー２５を引き下げる動作を行うことで、連結機構１９、２０、２１により有底筒状体２、３、４が連結されるようにしたのは、間接活線作業用工具を有底筒状体２、３、４の筒状部５、６、７にその開口端から底部側に向けて上下方向に差し込むにあたり、間接活線作業用工具がスライダー２５に引き掛かってスライダー２５も一緒に下がってしまい、これにより、連結機構１９、２０、２１による連結が解除されて、例えば取付用環状部材３０により被取付体に取り付けられていない有底筒状体３が落下してしまう、という不具合を防止するためである。
【符号の説明】
【００４０】
１  間接活線作業用工具収納体
２  有底筒状体
３  有底筒状体
４  有底筒状体
５  筒状部
６  筒状部
７  筒状部
８  底部
９  底部
１０  底部
１１  角部
１２  角部
１３  角部
１７  連結部
１８  連結部
１９  連結機構
２０  連結機構
２１  連結機構
３０  取付用環状部材
３１  通孔
３４  高所作業車（被取付体）
３５  パケット（被取付体）
３６  取付部材（取付手段）
３８  柱状立設体（被取付体）
３９  取付具（取付手段）
４０  連通孔（取付手段）
４５  縛着バンド（取付手段）
【図１】
2012135122.tif 000003
【図２】
2012135122.tif 000004
【図３】
2012135122.tif 000005
【図４】
2012135122.tif 000006
【図５】
2012135122.tif 000007
【図６】
2012135122.tif 000008
【図７】
2012135122.tif 000009
【図８】
2012135122.tif 000010
【図９】
2012135122.tif 000011
【図１０】
2012135122.tif 000012